(57)【特許請求の範囲】
【請求項１】
古紙を離解して再生パルプ懸濁液とするパルパーと該再生パルプ懸濁液から再生紙を抄造する抄紙機を含む文書細断屑用古紙再生装置において用いられる文書細断屑計量機構であって、
文書細断屑を収容するための載置面を有する収容部と前記収容部に収容された文書細断屑を排出するための排出口とを有する収容手段と、
前記収容手段に収容された文書細断屑の所定重量を量る秤手段と、
前記収容手段の下面端部近傍で前記秤手段端部に前記収容手段を回動自在に軸着せしめるための軸着手段と、
前記収容手段の下面端部近傍を中心として前記収容手段を回動せしめるためのモーター駆動偏心カム手段と、
を含み、
前記秤手段が所定重量を検知すると、前記モーター駆動偏心カム手段が前記収容手段を押し上げ前記収容手段の下面端部近傍を中心として前記収容手段が回動せしめられることにより前記載置面が傾斜面とされ、前記傾斜面を前記文書細断屑が滑落することにより、前記収容部に収容された所定重量の文書細断屑が排出口から排出されることを特徴とする文書細断屑計量機構。
【請求項２】
前記偏心カム手段が前記収容手段を押し上げるときは前記載置面の裏面に接触し、前記文書細断屑の重量検知をするときには前記載置面の裏面に非接触とされ、前記偏心カム手段が前記載置面の裏面に非接触状態となるのを検知するためのリミットスイッチを設けたことを特徴とする請求項１記載の文書細断屑計量機構。
【請求項３】
前記収容手段が回動せしめられた際に、前記収容手段の重心が回動支点よりも前記排出口側にいかないようにするためのストッパ部材をさらに設けたことを特徴とする請求項１又は２記載の文書細断屑計量機構。
【発明の詳細な説明】
【技術分野】
【０００１】
本発明は、オフィス文書などの古紙を離解して再生パルプ懸濁液とするパルパーと該再生パルプ懸濁液から再生紙を抄造する抄紙機を含むオフィス設置型の文書細断屑用古紙再生装置において用いられる古紙再生装置用の文書細断屑計量機構に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、特許文献２に示すような文書細断屑用古紙再生装置を提案した。また、古紙を離解して再生パルプ懸濁液とするパルパーと該再生パルプ懸濁液から再生紙を抄造する抄紙機を含む文書細断屑用古紙再生装置において用いられる細断処理機構付ホッパー装置であって、細断未処理文書を投入するための第一投入口と、該投入された細断未処理文書を細断して文書細断屑とするための文書細断処理機構と、該文書細断屑を排出させるための排出口と、を含む細断処理機構付ホッパー装置も既に提案している（特願２００６−３１９７９３）。
【０００４】
上記したようなホッパー装置から文書細断屑をパルパー装置に供給するにあたっては、パルパー装置内の濃度を一定に保つことが重要となる。濃度が一定でないと厚さが均一の再生紙ができないからである。
【０００５】
そして、このパルパー装置内の濃度は、供給される文書細断屑の量と水の量とで決まることになるが、文書細断屑の量を正確に計ることはなかなか難しかった。
【特許文献１】特開平１０−３１７２９０号公報
【特許文献２】特開２００６−１６９７１０号公報
【発明の開示】
【発明が解決しようとする課題】
【０００６】
本発明は、上記従来技術に鑑みてなされたもので、設置場所に制限のある極小規模かつコンパクトな文書細断屑用古紙再生装置に用いられる文書細断屑計量機構であって、文書細断屑の正確な計量及び供給が可能となる文書細断屑計量機構を提供することを目的とする。
【課題を解決するための手段】
【０００７】
本発明の文書細断屑計量機構は、古紙を離解して再生パルプ懸濁液とするパルパーと該再生パルプ懸濁液から再生紙を抄造する抄紙機を含む文書細断屑用古紙再生装置において用いられる文書細断屑計量機構であって、文書細断屑を収容するための載置面を有する収容部と前記収容部に収容された文書細断屑を排出するための排出口とを有する収容手段と、前記収容手段に収容された文書細断屑の所定重量を量る秤手段と、前記収容手段の下面端部近傍で前記秤手段端部に前記収容手段を回動自在に軸着せしめるための軸着手段と、前記収容手段の下面端部近傍を中心として前記収容手段を回動せしめるためのモーター駆動偏心カム手段と、を含み、前記秤手段が所定重量を検知すると、前記偏心カム手段が前記収容手段を押し上げ前記収容手段の下面端部近傍を中心として前記収容手段が回動せしめられることにより前記載置面が傾斜面とされ、前記傾斜面を前記文書細断屑が滑落することにより、前記収容部に収容された所定重量の文書細断屑が排出口から排出されることを特徴とする。
【０００８】
前記収容手段としては、断面コ字状の皿部材が好ましく、また、ホッパーから供給される文書細断屑を適切に受け且つ文書細断屑の飛散防止を図るために、前記皿部材の上端周縁部に傾斜した受け羽根板状部材を設けるのがさらに好ましい。
【０００９】
前記秤手段としては、電子天秤などの荷重計が好適に用いられる。電子天秤は電磁式又はロードセル（ひずみゲージ）式のいずれも適用可能であるが、特にロードセル式の秤手段が好ましい。
【００１０】
また、前記軸着手段としては、ヒンジ部材が好適に用いられる。前記収容手段の下面端部近傍をヒンジ部材を介して前記秤手段端部に回動自在に軸着せしめる構成とすればよい。
【００１１】
前記偏心カム手段としては、回動自在に軸着された前記収容手段の下方を横断するように回転軸を設け、前記回転軸に円板を回転中心からずらして取付けて偏心カムとし、前記偏心カムの回転軸がモーターによって回転駆動されるように構成するのが好適である。
【００１２】
このようにすれば、前記秤手段が予め設定した所定重量を検知すると、前記偏心カム手段が前記収容手段を押し上げ前記収容手段端部を中心として前記収容手段が回動せしめられることにより前記載置面が傾斜面とされ、前記傾斜面を前記文書細断屑が滑落することにより、前記収容部に収容された所定重量の文書細断屑が排出口から排出される。そして、偏心カム手段が回転して再び元の位置に戻ることによって、前記収容手段が再び元の位置に戻され、再度文書細断屑の計量が行われるのである。
【００１３】
予め設定する所定重量としては、所望のパルパー装置の濃度に応じて設定すればよい。例えば２０ｇ〜４０ｇの間で所定重量を設定することができる。
【００１４】
また、前記偏心カム手段が前記収容手段を押し上げるときは前記載置面の裏面に接触し、前記文書細断屑の重量検知をするときには前記載置面の裏面に非接触とされ、前記偏心カム手段が前記載置面の裏面に非接触状態となるのを検知するためのリミットスイッチを設けるのが好適である。
【００１５】
これは、前記偏心カム手段が前記載置面の裏面に接触した状態では正確な文書細断屑の重量を量ることができないため、このようなリミットスイッチを設けて、前記偏心カム手段が前記リミットスイッチに接触している間だけ前記文書細断屑の重量を量るようにすればよい。すなわち、リミットスイッチに接触していた前記偏心カム手段がリミットスイッチから離れて前記収容手段を押し上げながら一回転して戻ってきたときに再びリミットスイッチに接触するといわゆるゼロリセットを行ってから重量測定を行うように構成すればよい。
【００１６】
さらに、前記収容手段が回動せしめられた際に、前記収容手段の重心が回動支点よりも前記排出口側にいかないようにするためのストッパ部材をさらに設けるのが好ましい。
【００１７】
このようなストッパ部材を設けると、前記収容手段が外部からの振動等で前記収容手段の重心が回動支点よりも前記排出口側にいってしまい、前記収容手段が再び元の位置に戻らなくなるトラブルのおそれがなくなるという利点がある。
【発明の効果】
【００１８】
本発明によれば、設置場所に制限のある極小規模かつコンパクトな文書細断屑用古紙再生装置に用いられる文書細断屑計量機構であって、文書細断屑の正確な計量及び供給が可能となる文書細断屑計量機構を提供することができるという著大な効果を奏する。
【００１９】
したがって、本発明の文書細断屑計量機構を組み込んだ文書細断屑用古紙再生装置を用いれば、文書細断屑の再生を企業、官庁、組合、団地或いは地方公共団体等の各組織単位で行うことができ、焼却・埋め立て処分とされていた文書細断屑のリサイクルが可能となり、省資源・省エネルギー化、古紙回収にかかる時間短縮や労力軽減を図ることができるという大きな効果を奏する。
【発明を実施するための最良の形態】
【００２０】
以下に本発明の実施の形態を添付図面に基づいて説明するが、図示例は例示的に示されたもので、本発明の技術的思想から逸脱しない限り種々の変形が可能なことは言うまでもない。
【００２１】
図１は本発明の文書細断屑計量機構を文書細断屑用古紙再生装置の一部に組み込んだ様子を示す正面斜視図、図２は図１の正面図、図３は図２のＡ−Ａ線断面図、図４は本発明の文書細断屑計量機構の背面斜視図、図５は文書細断屑計量機構の概略右側面図、図６は偏心カム手段が収容手段に非接触となりリミットスイッチに接触している初期状態を示す概略図、図７は図６の位置にあった偏心カム手段が回転して収容手段に接触して載置面が傾斜面となった状態を示す概略図、図８は図７の位置にあった偏心カム手段がさらに回転した状態を示す概略図、図９は図８の位置にあった偏心カム手段がさらに回転した状態を示す概略図である。
【００２２】
図１〜図９において、符号１０は本発明に係る文書細断屑計量機構を示す。本発明の文書細断屑計量機構１０は、古紙を離解して再生パルプ懸濁液とするパルパーと該再生パルプ懸濁液から再生紙を抄造する抄紙機を含む文書細断屑用古紙再生装置において用いられる文書細断屑計量機構であって、文書細断屑を収容するための載置面１２を有する収容部１４と前記収容部１４に収容された文書細断屑を排出するための排出口１６とを有する収容手段１８と、前記収容手段１８に収容された文書細断屑の所定重量を量る秤手段２０と、前記収容手段１８の下面端部近傍Ａで前記秤手段端部２２に前記収容手段１８を回動自在に軸着せしめるための軸着手段２４と、前記収容手段１８の前記下面端部近傍Ａを支点として前記収容手段１８を回動せしめるためのモーター駆動偏心カム手段２６と、を含み、前記秤手段２０が所定重量を検知すると、前記偏心カム手段２６が前記収容手段１８を押し上げ前記収容手段１８の下面端部近傍Ａを中心として前記収容手段１８が回動せしめられることにより前記載置面１２が傾斜面１２ａとされ、前記傾斜面１２ａを前記文書細断屑が滑落することにより、前記収容部１４に収容された所定重量の文書細断屑が排出口１６から排出される。
【００２３】
なお、図１〜図３において、符号２８は文書細断屑が投入されるホッパー装置であり、符号３０は、本発明の文書細断屑計量機構によって所定の重量が計量された文書細断屑が投入されるパルパー装置である。このホッパー装置２８は、文書細断屑を文書細断屑計量機構１０に供給する機能を有する限り、その構成に特別の限定はない。未細断の紙等を細断するための細断処理機構付きタイプのホッパー装置でもよいし、予めシュレッダーなどで細断した文書細断屑を投入するタイプのホッパー装置でもよい。例えば、特願２００６−３１９７９３に記載されたホッパー装置を使用することができる。
【００２４】
また、パルパー装置３０については、本発明に係る文書細断屑計量機構１０によって所定量が計量された文書細断屑を水などと混合攪拌して再生パルプ懸濁液とする機能を有する限り、その構成に特別の限定はない。例えば、特願２００６−３１９７９３に記載されたパルパー装置を使用することができる。
【００２５】
図示の例では、前記収容手段１８として、断面コ字状の皿部材１８ａを使用した。また、ホッパー装置２８から供給される文書細断屑を適切に受け且つ文書細断屑の飛散防止を図るために、前記皿部材１８ａの上端周縁部には、傾斜した受け羽根板状部材３２ａ，３２ｂを設けるのがさらに好ましい。
【００２６】
前記秤手段２０としては、ロードセル式電子天秤（株式会社エー・アンド・デイ製）２０ａを用いた。
【００２７】
また、前記軸着手段２４としては、図４によく示される如く、ヒンジ部材２４ａを用いており、前記収容手段１８の下面３４の端部近傍をヒンジ部材２４ａを介して前記秤手段２０の端部に回動自在に軸着せしめられている。
【００２８】
前記偏心カム手段２６としては、ヒンジ部材２４ａによって回動自在に軸着された前記皿部材１８ａの下方を横断するように回転軸３６を設け、前記回転軸３６に円板３８を回転軸３６による回転中心からずらして取付けて偏心カム２６ａとされている。また、前記偏心カム２６ａの回転軸３６はモーター（図示は省略）によって回転駆動されるように構成されている。
【００２９】
このようにして、ロードセル式電子天秤２０ａが予め設定した所定重量を検知すると、偏心カム２６ａが皿部材１８ａを押し上げ皿部材１８ａの端部を中心として皿部材１８ａが回動せしめられることにより載置面１２が傾斜面１２ａとされ、傾斜面１２ａを文書細断屑が滑落することにより、収容部１４に収容された所定重量の文書細断屑が排出口１６から排出される。そして、偏心カム２６ａが回転して再び元の位置に戻ることによって、皿部材１８ａが再び元の位置に戻され、再度文書細断屑の計量が行われるように構成されている。
【００３０】
予め設定する所定重量としては、所望のパルパー装置の濃度に応じて設定することができ、例えば２０ｇ〜４０ｇの間で所定重量を設定すればよい。
【００３１】
また、偏心カム２６ａが皿部材１８ａを押し上げるときは載置面１２の裏面に接触し、文書細断屑の重量検知をするときには載置面１２の裏面に非接触とされ、偏心カム２６ａが載置面１２の裏面に非接触状態となるのを検知するためのリミットスイッチ４０が設けられている。リミットスイッチ４０は板バネ部材４２を有しており、板バネ部材４２に偏心カム２６ａが接触又は非接触状態となることで、接触・非接触状態を検知する。リミットスイッチ４０としては、接触を検知するタイプの周知のスイッチを使用すればよい。なお、符号４６はフレーム部材であり、前記フレーム部材４６にロードセル式電子天秤２０ａ、偏心カム２６ａ及びリミットスイッチ４０がそれぞれ取付けられている。
【００３２】
板バネ部材４２に接触していた偏心カム２６ａがリミットスイッチ４０から離れて皿部材１８ａを押し上げながら一回転して戻ってきたときに再びリミットスイッチ４０に接触すると、皿部材１８ａの重量を含めたゼロ補正を行い、いわゆるゼロリセットを行ってから重量測定を行うように構成されている。
【００３３】
さらに、皿部材１８ａが回動せしめられた際に、皿部材１８ａの重心Ｇが回動支点（すなわち、回転軸３６）よりも排出口１６側にいかないようにするためのストッパ部材４４が設けられている（図８参照）。
【００３４】
このようなストッパ部材４４を設けると、皿部材１８ａが外部からの振動等（例えば、人がぶつかった際の衝撃による振動等）で皿部材１８ａの重心Ｇが回動支点（回転軸３６）よりも排出口１６側にいってしまい、皿部材１８ａが再び元の位置に戻らなくなるトラブルのおそれがなくなるという利点がある。
【００３５】
次に、本発明に係る文書細断屑計量機構の作用を図６〜９に基づき説明する。
【００３６】
偏心カム２６ａが皿部材１８ａに非接触となりリミットスイッチ４０に接触している初期状態では、図６に示される状態となっている。そして、この状態でいわゆるゼロリセットが行われると、ホッパー装置２８から文書細断屑が収容部１４へと落下し、文書細断屑の重量測定が行われる。図示例では、文書細断屑の重量を２５ｇに設定した。
【００３７】
そして、ロードセル式電子天秤２０ａが、予め設定した２５ｇを検知すると、図６の位置にあった偏心カム２６ａが回転して皿部材１８ａに接触して載置面１２が傾斜面１２ａとされる。そして、図７、図８のように偏心カム２６ａが徐々に回転する。このとき、傾斜面１２ａを文書細断屑が滑落することにより、収容部１４に収容された所定重量の文書細断屑が排出口１６から排出されて、パルパー装置３０へと供給される。
【００３８】
このようにして図８の位置まで傾斜した皿部材１８ａは、偏心カム２６ａがさらに回転すると、徐々に皿部材１８ａの傾斜が緩くなり（図９）、再び元の位置に戻る（図６）ことによって、皿部材１８ａが再び元の位置に戻される。そして、偏心カム２６ａが皿部材１８ａに非接触となりリミットスイッチ４０に接触し、再度ゼロリセットが行われ、ホッパー装置２８から文書細断屑が収容部１４へと落下し、文書細断屑の重量の測定が行われる。このようにして、文書細断屑の正確な計量が繰り返して行われる。なお、これら一連の動作及び制御はコンピュータ（図示省略）によって自動的に行われる。
【００３９】
以上述べた如くの本発明に係る文書細断屑計量機構１０を、図１に示されるような、槽と槽の内底部に攪拌手段を備え、文書細断機によって細断された古紙を離解して再生パルプ懸濁液とするパルパーと、該再生パルプ懸濁液から再生紙を抄造する抄紙機とからなる文書細断屑用古紙再生装置（特許文献２参照）に組み込むようにすれば、不要となった文書をオフィスで細断処理してそのまま該オフィスで再生紙に再生する再生処理にあたって、文書細断屑の正確な計量及び供給が可能となる。
【図面の簡単な説明】
【００４０】
【図１】本発明の文書細断屑計量機構を文書細断屑用古紙再生装置の一部に組み込んだ様子を示す正面斜視図である。
【図２】図１の正面図である。
【図３】図２のＡ−Ａ線断面図である。
【図４】本発明の文書細断屑計量機構の背面斜視図である。
【図５】文書細断屑計量機構の概略右側面図である。
【図６】偏心カム手段が収容手段に非接触となりリミットスイッチに接触している初期状態を示す概略図である。
【図７】図６の位置にあった偏心カム手段が回転して収容手段に接触して載置面が傾斜面となった状態を示す概略図である。
【図８】図７の位置にあった偏心カム手段がさらに回転した状態を示す概略図である。
【図９】図８の位置にあった偏心カム手段がさらに回転した状態を示す概略図である。
【符号の説明】
【００４１】
１０：文書細断屑計量機構、１２：載置面、１２ａ：傾斜面、１４：収容部、１６：排出口、１８：収容手段、１８ａ：皿部材、２０：秤手段、２０ａ：ロードセル式電子天秤、２２：秤手段端部、２４：軸着手段、２４ａ：ヒンジ部材、２６：モーター駆動偏心カム手段、２６ａ：偏心カム、２８：ホッパー装置、３０：パルパー装置、３２ａ，３２ｂ：羽根板状部材、３４：下面、３６：回転軸、３８：円板、４０：リミットスイッチ、４２：板バネ部材、４４：ストッパ部材、４６：フレーム部材、Ａ：下面端部近傍、Ｇ：重心。
【図１】
0005001901.tif 000002
【図２】
0005001901.tif 000003
【図３】
0005001901.tif 000004
【図４】
0005001901.tif 000005
【図５】
0005001901.tif 000006
【図６】
0005001901.tif 000007
【図７】
0005001901.tif 000008
【図８】
0005001901.tif 000009
【図９】
0005001901.tif 000010